(57)【要約】【課題】記憶媒体に対して無線通信により情報の読み出し、書き込みが可能な画像記録装置において、画像の記録動作に伴う電磁波の影響によるノイズを受けることなく情報を読み出し、又は書き込むことができる画像記録装置を提供する。【解決手段】画像記録装置としてのＭＦＰ１００は、原稿の画像を読み取るＣＣＤ読取ユニット３と、原稿のＲＦＩＤタグに対して無線通信により情報を読み出し、書き込むＲＦリーダライタ８と、画像を記録用紙に記録する記録部７と、を備え、ＲＦリーダライタ８の読出動作又は書込動作とＣＣＤ読取ユニット３の記録動作とを同時に行わない。【選択図】図３
2007295211.tif 000002
【特許請求の範囲】
【請求項１】
原稿の画像を読み取る読取手段と、
前記原稿に付設された記憶媒体から無線通信により情報を読み出す読出手段と、
画像を記録用紙に記録する記録手段と、を備え、
前記読出手段の読出動作と前記記録手段の記録動作とを同時に行わないことを特徴とする画像記録装置。
【請求項２】
前記記録手段の記録動作又は前記読出手段の読出動作の開始指示を受け付ける開始指示受付手段を備え、
該開始指示受付手段が前記記録手段の記録動作の開始指示を受け付けた際に、前記読出手段が読出動作している場合、該読出手段が読出動作を終了した後に前記記録手段が記録動作を開始し、
前記開始指示受付手段が前記読出手段の読出動作の開始指示を受け付けた際に、前記記録手段が記録動作している場合、該記録手段が記録動作を終了した後に前記読出手段が読出動作を開始することを特徴とする請求項１に記載の画像記録装置。
【請求項３】
原稿の画像を前記読取手段が読み取るとともに当該原稿に付設された記憶媒体から情報を前記読出手段が無線通信により読み出す同時読出読取設定が設定されている場合、前記開始指示受付手段が前記読取手段の読取動作の開始指示を受け付けた際に、前記記録手段が記録動作しているとき、該記録手段が記録動作を終了した後に前記読取手段が読取動作を開始することを特徴とする請求項１又は２に記載の画像記録装置。
【請求項４】
原稿の画像を前記読取手段が読み取るとともに当該原稿に記憶媒体が付設されているか否かを前記読出手段が無線通信により検出する同時検出読取設定が設定されている場合、前記開始指示受付手段が前記読取手段の読取動作の開始指示を受け付けた際に、前記記録手段が記録動作しているか否かに関わらず、前記読取手段が読取動作を開始することを特徴とする請求項３に記載の画像記録装置。
【請求項５】
前記同時検出読取設定が設定されている場合、前記読出手段が記憶媒体の存在を検出したとき、前記読取手段の読取動作を中止し、再度原稿の画像を読み取る旨を報知し、前記同時読出読取設定を設定することを特徴とする請求項４に記載の画像記録装置。
【請求項６】
前記読取手段が、原稿載置板に沿って移動する走査キャリッジを前記原稿載置板に載置された原稿に対し走査して該原稿の画像を読み取り、
前記読出手段が、前記走査キャリッジに設けられたことを特徴とする請求項１から５の何れか１項に記載の画像記録装置。
【請求項７】
前記読出手段が前記原稿載置板に載置された原稿に付設された記憶媒体から情報を読み出した場合、前記走査キャリッジを移動させて待機位置に戻すことを特徴とする請求項６に記載の画像記録装置。
【請求項８】
前記走査キャリッジの移動に伴い、前記読取手段が前記原稿載置板に載置された原稿の画像を読み取るとともに、前記読出手段が当該原稿に付設された記憶媒体から情報を読み出し、前記読取手段が当該原稿の画像を全て読み取った後、前記走査キャリッジを移動させて待機位置に戻すことを特徴とする請求項７に記載の画像記録装置。
【請求項９】
画像を記録用紙に記録する記録手段と、
前記記録用紙に付設された記憶媒体に無線通信により情報を書き込む書込手段と、を備え、
前記記録手段の記録動作と前記書込手段の書込動作とを同時に行わないことを特徴とする画像記録装置。
【請求項１０】
前記記録手段の記録動作又は前記書込手段の書込動作の開始指示を受け付ける開始指示受付手段を備え、
該開始指示受付手段が前記記録手段の記録動作の開始指示を受け付けた際に、前記書込手段が書込動作している場合、該書込手段が書込動作を終了した後に前記記録手段が記録動作を開始し、
前記開始指示受付手段が前記書込手段の書込動作の開始指示を受け付けた際に、前記記録手段が記録動作している場合、該記録手段が記録動作を終了した後に前記書込手段が書込動作を開始することを特徴とする請求項９に記載の画像記録装置。
【発明の詳細な説明】
【技術分野】
【０００１】
本発明は、画像記録装置、詳しくは記憶媒体に対して無線通信により情報の読み出し、書き込みが可能な画像記録装置に関する。
【背景技術】
【０００２】
原稿に付設された記憶媒体から情報を読み出すことにより、原稿に関する各種情報を取得することができる。このような記憶媒体として、無線通信により情報が読み出されるＲＦＩＤ（Radio Frequency-Identification：電波方式認識）タグのＩＣチップを利用することが近年提案されている。
【０００３】
特許文献１には、１次元コードや２次元コードのコードを光学的に読み取る読取手段と、ＲＦＩＤタグから情報を電波により読み取る読取手段とを備え、これらの読取手段の読取動作に時間差を持たせることにより、読取動作時に発生する電磁波によって他の読取手段がノイズを受けることなく高精度な読み取りを可能とした複合コード読取装置が開示されている。
【特許文献１】特開２００１−５２１０５号公報
【発明の開示】
【発明が解決しようとする課題】
【０００４】
しかしながら、画像記録装置においては、画像の記録動作を行う際に、記録用紙搬送による静電気、感光体ドラムの接点不良によるリーク、高圧制御・帯電制御による電圧変化等により電磁波が発生する。無線通信によりＲＦＩＤタグから情報を読み出すため、画像の記録動作に伴う電磁波の影響によりノイズを受け、情報の読み出し、書き込み精度が低下するおそれがあるという問題があった。
【０００５】
本発明は、かかる課題に鑑みてなされたものであり、記憶媒体に対して無線通信により情報の読み出し、書き込みが可能な画像記録装置において、画像の記録動作に伴う電磁波の影響によるノイズを受けることなく情報を読み出し、又は書き込むことができる画像記録装置を提供することを目的とする。
【課題を解決するための手段】
【０００６】
上記目的を達成するために、請求項１に記載の画像記録装置は、原稿の画像を読み取る読取手段と、前記原稿に付設された記憶媒体から無線通信により情報を読み出す読出手段と、画像を記録用紙に記録する記録手段と、を備え、前記読出手段の読出動作と前記記録手段の記録動作とを同時に行わないことを特徴としている。
【０００７】
請求項２に記載の画像記録装置は、請求項１に記載の画像記録装置において、前記記録手段の記録動作又は前記読出手段の読出動作の開始指示を受け付ける開始指示受付手段を備え、該開始指示受付手段が前記記録手段の記録動作の開始指示を受け付けた際に、前記読出手段が読出動作している場合、該読出手段が読出動作を終了した後に前記記録手段が記録動作を開始し、前記開始指示受付手段が前記読出手段の読出動作の開始指示を受け付けた際に、前記記録手段が記録動作している場合、該記録手段が記録動作を終了した後に前記読出手段が読出動作を開始することを特徴としている。
【０００８】
請求項３に記載の画像記録装置は、請求項１又は２に記載の画像記録装置において、原稿の画像を前記読取手段が読み取るとともに当該原稿に付設された記憶媒体から情報を前記読出手段が無線通信により読み出す同時読出読取設定が設定されている場合、前記開始指示受付手段が前記読取手段の読取動作の開始指示を受け付けた際に、前記記録手段が記録動作しているとき、該記録手段が記録動作を終了した後に前記読取手段が読取動作を開始することを特徴としている。
【０００９】
請求項４に記載の画像記録装置は、請求項３に記載の画像記録装置において、原稿の画像を前記読取手段が読み取るとともに当該原稿に記憶媒体が付設されているか否かを前記読出手段が無線通信により検出する同時検出読取設定が設定されている場合、前記開始指示受付手段が前記読取手段の読取動作の開始指示を受け付けた際に、前記記録手段が記録動作しているか否かに関わらず、前記読取手段が読取動作を開始することを特徴としている。
【００１０】
請求項５に記載の画像記録装置は、請求項４に記載の画像記録装置において、前記同時検出読取設定が設定されている場合、前記読出手段が記憶媒体の存在を検出したとき、前記読取手段の読取動作を中止し、再度原稿の画像を読み取る旨を報知し、前記同時読出読取設定を設定することを特徴としている。
【００１１】
請求項６に記載の画像記録装置は、請求項１から５の何れか１項に記載の画像記録装置において、前記読取手段が、原稿載置板に沿って移動する走査キャリッジを前記原稿載置板に載置された原稿に対し走査して該原稿の画像を読み取り、前記読出手段が、前記走査キャリッジに設けられたことを特徴としている。
【００１２】
請求項７に記載の画像記録装置は、請求項６に記載の画像記録装置において、前記読出手段が前記原稿載置板に載置された原稿に付設された記憶媒体から情報を読み出した場合、前記走査キャリッジを移動させて待機位置に戻すことを特徴としている。
【００１３】
請求項８に記載の画像記録装置は、請求項７に記載の画像記録装置において、前記走査キャリッジの移動に伴い、前記読取手段が前記原稿載置板に載置された原稿の画像を読み取るとともに、前記読出手段が当該原稿に付設された記憶媒体から情報を読み出し、前記読取手段が当該原稿の画像を全て読み取った後、前記走査キャリッジを移動させて待機位置に戻すことを特徴としている。
【００１４】
請求項９に記載の画像記録装置は、画像を記録用紙に記録する記録手段と、前記記録用紙に付設された記憶媒体に無線通信により情報を書き込む書込手段と、を備え、前記記録手段の記録動作と前記書込手段の書込動作とを同時に行わないことを特徴としている。
【００１５】
請求項１０に記載の画像記録装置は、請求項９に記載の画像記録装置において、前記記録手段の記録動作又は前記書込手段の書込動作の開始指示を受け付ける開始指示受付手段を備え、該開始指示受付手段が前記記録手段の記録動作の開始指示を受け付けた際に、前記書込手段が書込動作している場合、該書込手段が書込動作を終了した後に前記記録手段が記録動作を開始し、前記開始指示受付手段が前記書込手段の書込動作の開始指示を受け付けた際に、前記記録手段が記録動作している場合、該記録手段が記録動作を終了した後に前記書込手段が書込動作を開始することを特徴としている。
【発明の効果】
【００１６】
請求項１に記載の画像記録装置によれば、読出手段の読出動作と記録手段の記録動作とを同時に行わない。そのため、記録手段の記録動作に伴う電磁波の影響によるノイズを受けることなく読出手段が情報を読み出すことができ、情報の読出精度が低下するおそれがない。
【００１７】
請求項２に記載の画像記録装置によれば、開始指示受付手段が記録手段の記録動作の開始指示を受け付けた際に、読出手段が読出動作している場合、読出手段が読出動作を終了した後に記録手段が記録動作を開始する。また、開始指示受付手段が読出手段の読出動作の開始指示を受け付けた際に、記録手段が記録動作している場合、記録手段が記録動作を終了した後に読出手段が読出動作を開始する。そのため、読出手段の読出動作と記録手段の記録動作とが同時に行われることを確実に防止することができ、情報の読出精度が低下するおそれがない。
【００１８】
請求項３に記載の画像記録装置によれば、同時読出読取設定が設定されている場合、開始指示受付手段が読取手段の読取動作の開始指示を受け付けた際に、記録手段が記録動作しているとき、記録手段が記録動作を終了した後に読取手段が読取動作を開始する。そのため、読取手段の読取動作と読出手段の読取動作が同時に行われる同時読出読取設定が設定されている場合であっても、読出手段の読出動作と記録手段の記録動作とが同時に行われることを確実に防止することができ、情報の読出精度が低下するおそれがない。
【００１９】
請求項４に記載の画像記録装置によれば、同時検出読取設定が設定されている場合、開始指示受付手段が読取手段の読取動作の開始指示を受け付けた際に、記録手段が記録動作しているか否かに関わらず、読取手段が読取動作を開始する。読出手段が無線通信により記憶媒体を検出する際には精度の高い情報の読み出しを必要としないので、記録手段の記録動作に伴う電磁波の影響によるノイズを受けることは許容される。そのため、同時検出読取設定が設定されている場合、記録手段が記録動作しているか否かに関わらず、読取手段の読取動作と読出手段の検出動作とが同時に行われることにより、動作に必要な時間を短縮することが可能となる。
【００２０】
請求項５に記載の画像記録装置によれば、同時検出読取設定が設定されている場合、読出手段が記憶媒体の存在を検出したとき、読取手段の読取動作を中止し、再度原稿の画像を読み取る旨を報知し、同時読出読取設定を設定する。そのため、ユーザに原稿に記憶媒体が付設していることを認識させることが可能となる。また、自動的に同時読出読取設定を設定することにより、次に読み取るであろう当該原稿の記憶媒体から確実に情報を読み出すことが可能となるとともに、ユーザ等が同時読出読取設定を設定する手間を省くことが可能となる。
【００２１】
請求項６に記載の画像記録装置によれば、読取手段が、原稿載置板に沿って移動する走査キャリッジを原稿載置板に載置された原稿に対し走査して該原稿の画像を読み取り、読出手段が走査キャリッジに設けられている。そのため、同時読出読取設定や同時検出読取設定が設定されている場合、走査キャリッジを原稿載置板に沿って移動させることにより、原稿載置板に載置された原稿に対して読取手段の読取動作と読出手段の読出動作又は検出動作とを同時に行うことができる。また、走査キャリッジを移動させない場合であっても、読取手段と読出手段とが共に走査キャリッジに設けられているので、読取手段の読取動作と読出手段の読出動作又は検出動作とを近接した原稿に対して同時に行うことが可能となる。よって、装置の構造を簡略化できる等により、装置コストや装置容積等を抑えることが可能となる。
【００２２】
請求項７に記載の画像記録装置によれば、読出手段が原稿載置板に載置された原稿に付設された記憶媒体から情報を読み出した場合、走査キャリッジを移動させて待機位置に戻す。そのため、次の原稿から情報を読み出す読出開始指示があったとき、走査キャリッジを待機位置に戻す必要がない。よって、読出開始指示があった場合に直ぐに読出動作を開始することができるので、読出動作に必要な時間を短縮することが可能となる。
【００２３】
請求項８に記載の画像記録装置によれば、走査キャリッジの移動に伴い、読取手段が原稿載置板に載置された原稿の画像を読み取るとともに、読出手段が当該原稿に付設された記憶媒体から情報を読み出し、読取手段が当該原稿の画像を全て読み取った後、走査キャリッジを移動させて待機位置に戻す。そのため、次の原稿の画像読み取りや情報を読み出す開始指示があったとき、走査キャリッジを待機位置に戻す必要がない。よって、これらの開始指示があった場合に直ぐに読取動作や読出動作を開始することができるので、これらの動作に必要な時間を短縮することが可能となる。
【００２４】
請求項９に記載の画像記録装置によれば、記録手段の記録動作と書込手段の書込動作とを同時に行わない。そのため、記録手段の記録動作に伴う電磁波の影響によるノイズを受けることなく書込手段が情報を書き込むことができ、情報の書き込み精度が低下するおそれがない。
【００２５】
請求項１０に記載の画像記録装置によれば、開始指示受付手段が記録手段の記録動作の開始指示を受け付けた際に、書込手段が書込動作している場合、書込手段が書込動作を終了した後に記録手段が記録動作を開始する。また、開始指示受付手段が書込手段の書込動作の開始指示を受け付けた際に、記録手段が記録動作している場合、記録手段が記録動作を終了した後に書込手段が書込動作を開始する。そのため、書込手段の書込動作と記録手段の記録動作とが同時に行われることを確実に防止することができ、情報の書込精度が低下するおそれがない。
【発明を実施するための最良の形態】
【００２６】
以下、本発明の実施の形態に係る画像記録装置を装備するＭＦＰ（Multiple Functional Peripheral：多機能周辺機器）１００について、図面に基づき説明する。ＭＦＰ１００は、図１にそのブロック図を示すように、制御部（ＭＰＵ：Microprocessing Unit）１、ＡＤＦ（Automatic Document Feeder：自動原稿給送装置）２、ＣＣＤ（Charge Coupled Device）読取ユニット３、画像処理部４、コーデック（ＣＯＤＥＣ：Coder and Decoder）５、画像メモリ６、記録部７、ＲＦ（Radio Frequency）リーダライタ８、操作部９、報知部１０、ＲＯＭ（Read Only Memory）１１、ＲＡＭ（Random Access Memory）１２、モデム１３及びＮＣＵ（Network Control Unit）１４を備えたものであって、各部１乃至１４は、バス１５によって通信可能に接続されている。
【００２７】
このように構成されたＭＦＰ１００は、ＣＣＤ読取ユニット３が原稿の画像を読み取る読取（スキャナ）機能、ＣＣＤ読取ユニット３が読み取った原稿の画像を記録用紙に記録する複写（コピー）機能、ＣＣＤ読取ユニット３が読み取った原稿の画像データをＰＳＴＮ（Public Switched Telephone Network）１６を介して外部の装置に送信するファクシミリ送信機能、外部の装置からＰＳＴＮ１６を介して画像データを受信し記録用紙に記録するファクシミリ受信機能を備えている。制御部１は、ＭＦＰ１００の各部の動作を制御する。
【００２８】
ＡＤＦ２は、ＭＦＰ１００の上部を示す図２を参照するように、原稿トレイ２１に載置された原稿を１枚ずつ搬送路２２に沿って搬送した後に原稿トレイ２１の下方に位置する排紙トレイ２３へと排出するものであり、ＦＢＳ（Flat Bed Scanner）として機能する原稿載置台１０１に開閉自在に枢支される原稿押えカバー１０２に装備されている。ＡＤＦ２は、原稿トレイ２１の原稿を搬送路２２へ供給する給紙ローラ２４、搬送路２２へ供給された原稿を搬送する搬送ローラ２５、搬送路２２に沿って搬送された原稿を排紙トレイ２３へ排出する排紙ローラ２６等を具備して構成されている。また、図示しないが、排紙トレイ２３に原稿が載置されたか否かを検知する検知センサを備えている。
【００２９】
ＣＣＤ読取ユニット３は、原稿の画像を読み取って画像データを取得するものであり、原稿載置台１０１に内蔵されている。ＣＣＤ読取ユニット３は、原稿へ光を照射する光源３１、原稿からの反射光を所定の方向へ導くための複数の反射ミラー３２、原稿からの反射光を収束する集光レンズ３３、収束光を電気信号に変換して出力するＣＣＤラインセンサ３４等を具備して構成される縮小光学系の読取ユニットであり、原稿載置台１０１の天面に配設されたプラテンガラス１０１ａに対して図示しない駆動機構により水平に往復移動する走査キャリッジ３５に光源３１と一部の反射ミラー３２が配設されている。また、図示しないが、プラテンガラス１０１ａに原稿が載置されたか否か、及び載置された原稿のサイズを検知する検知センサを備えている。
【００３０】
ＣＣＤ読取ユニット３は、ＦＢＳとして原稿の画像を読み取るときには、走査キャリッジ３５がプラテンガラス１０１ｂの下方に位置する待機位置（図２に示す位置）からプラテンガラス１０１ａに対して水平に移動しながらプラテンガラス１０１ａに載置された原稿を走査し、該原稿からの反射光をＣＣＤラインセンサ３４へ導いて結像する。また、ＣＣＤ読取ユニット３は、ＡＤＦ２によって搬送される原稿の画像を読み取るときには、走査キャリッジ３５がプラテンガラス１０１ｂの下方に位置する待機位置において、読取位置Ｐを通過する原稿からの反射光をＣＣＤラインセンサ３４へ導いて結像する。
【００３１】
画像処理部４は、ＣＣＤ読取ユニット３が読み取って得た原稿の画像データに対して画像処理を行う。具体的には、ＣＣＤ読取ユニット３が原稿の画像を読み取って出力した画像データに対して、シェーディング補正、γ補正、拡大／縮小処理（画素データの補間処理又は間引処理）等の画像処理を必要に応じて行う。
【００３２】
コーデック５は、画像データを符号化（エンコード）・復号（デコード）する。ここでは、画像処理部４で画像処理が行われた原稿の画像データを符号化し、符号化されている画像データを復号する。
【００３３】
画像メモリ６は、コーデック５において符号化された画像データ、画像処理部４から直接出力された画像データ、ファクシミリ受信した画像データなどの画像データを格納する。なお、図示しないが、クライアントＰＣが接続されたＬＡＮ（Local Area Network）とＭＦＰ１００とが通信可能に接続されている場合、クライアントＰＣから転送された画像データを画像メモリ６に格納することもできる。さらに、図示しないが、インターネットファクシミリ装置が接続されたインターネットとＭＦＰ１００とが通信可能に接続されている場合、インターネットファクシミリ装置から受信した電子メールに画像ファイルとして添付された画像データを画像メモリ６に格納することもできる。
【００３４】
記録部７は、画像メモリ６から読み出された画像データの画像を記録用紙に記録する。この記録部７における記録方式としては、例えば、電子写真方式やインクジェット記録方式等の各種の記録方式を用いることができる。記録部７は、画像メモリ６から読み出された画像データに基づく画像を記録用紙に記録する。
【００３５】
ＲＦリーダライタ８は、ＲＦＩＤ（Radio Frequency-Identification：電波方式認識）タグから無線通信により情報を読み出し、ＲＦＩＤタグに無線通信により情報を書き込むものであり、走査キャリッジ３５に配設されている。ＲＦＩＤタグは、図示しないが、超小型のＩＣ（集積回路）チップと、無線通信用のコイル状のアンテナと、から構成されており、ＩＣチップは、記憶部（記憶媒体）、電源整流部、送信部、受信部等を備えている。ＲＦリーダライタ８が発振した電波をＲＦＩＤタグが受信すると、共振作用によりＲＦＩＤタグ内に起電力が発生し、ＲＦＩＤタグは、発生した起電力により予め記憶部に書き込まれた情報を発信する。ＲＦリーダライタ８は、このようにしてＲＦＩＤタグから発信された情報を受信することにより、記憶部から情報を読み出す。また、ＲＦリーダライタ８から送信された情報をＲＦＩＤタグが受信することにより、記憶部に情報を書き込む。このようなＲＦＩＤタグは原稿に埋込（漉込）や付着等により付設されている。原稿に付設される際に当該原稿に関する情報が予め書き込まれたＲＦＩＤタグの記憶部からＲＦリーダライタ８が情報を読み出すことにより、当該原稿に関する情報を得ることができる。また、原稿に付設されたＲＦＩＤタグの記憶部にＲＦリーダライタ８が当該原稿に関する情報を書き込むことにより、原稿の管理や処理を適切に行うことが可能となる。ここで、原稿に関する情報とは、例えば、複写禁止や社外秘等の原稿の使用に関する情報、作成部署や作成者等の原稿の作成元に関する情報、原稿作成日時、識別番号や原稿名等の原稿に関する基本的な情報、読取モードや解像度等の原稿の処理設定に関する情報である。
【００３６】
ＲＦリーダライタ８は、ＦＢＳとして原稿の画像をＣＣＤ読取ユニット３が読み取るときには、プラテンガラス１０１ａに載置された原稿のＲＦＩＤタグから、プラテンガラス１０１ａに対して水平に移動する走査キャリッジ３５にて情報を読み出す。また、ＡＤＦ２によって搬送される原稿の画像をＣＣＤ読取ユニット３が読み取るときには、読取位置Ｐを通過する原稿のＲＦＩＤタグから、プラテンガラス１０１ｂの下方にて静止した走査キャリッジ３５にて情報を読み出す。
【００３７】
原稿に対して相対的に移動する走査キャリッジ３５からＣＣＤ読取ユニット３が当該原稿の画像を読み取るとともにＲＦリーダライタ８が当該原稿に付設されたＲＦＩＤタグから情報を読み出す同時読出読取の場合、ＣＣＤ読取ユニット３が原稿の画像を読み取る専用読取における通常速度より低速にて走査キャリッジ３５を移動する。これは、原稿のＲＦＩＤタグから全ての情報をＲＦリーダライタ８が読み出すには所定の通信時間（例えば３０ｍｓ）を要するので、ＲＦＩＤタグから全ての情報をＲＦリーダライタ８が読み出すためには前記通信時間以上ＲＦリーダライタ８の通信範囲内にＲＦＩＤタグが存在する必要があることによる。なお、原稿のＲＦＩＤタグから全ての情報をＲＦリーダライタ８が読み出した後に変速して走査キャリッジ３５が通常速にて移動するものであってもよい。
【００３８】
一方、原稿に対して相対的に移動する走査キャリッジ３５からＣＣＤ読取ユニット３が当該原稿の画像を読み取るとともにＲＦリーダライタ８が当該原稿にＲＦＩＤタグが付設されているか否かを検出する同時検出読取の場合、ＣＣＤ読取ユニット３が原稿の画像を読み取る専用読取における通常速と同速にて走査キャリッジ３５を移動する。これは、原稿のＲＦＩＤタグとＲＦリーダライタ８が送受信し、ＲＦＩＤタグの存在の有無を検出するには所定の短い通信時間（例えば５ｍｓ）しか要しないことによる。なお、同時検出読取の場合、通常速より低速にて走査キャリッジ３５を移動するものであってもよい。
【００３９】
ＲＦリーダライタ８は、ＦＢＳを利用して情報を書き込むときには、プラテンガラス１０１ａに対して水平に移動する走査キャリッジ３５にてＲＦＩＤタグを検出し、ＲＦＩＤタグを検出した位置にて停止した走査キャリッジ３５からプラテンガラス１０１ａに載置された原稿のＲＦＩＤタグに情報を書き込む。また、ＡＤＦ２を利用して情報を書き込むときには、待機位置に静止した走査キャリッジ３５にてＲＦＩＤタグを検出し、ＲＦＩＤタグが検出された後、直ちに搬送が停止された原稿のＲＦＩＤタグに情報を書き込む。
【００４０】
ＲＦリーダライタ８は、原稿の幅方向のどの位置にＲＦＩＤタグが付設されていたとしても情報の読み出しや書き込みができるように、その通信範囲が予め設定されたものが使用されている。また、ＲＦリーダライタ８は、プラテンガラス１０１ａに載置された原稿又は読取位置Ｐを通過する原稿に付設されているＲＦＩＤタグに対してのみ情報の読み出しや書き込みができるように、その通信範囲が原稿トレイ２１や排紙トレイ２３に及ぶことがないようなものが使用される。ＲＦリーダライタ８は、原稿トレイ２１や排紙トレイ２３に載置されている原稿のＲＦＩＤタグに対して情報の読み出しや書き込みをすることはない。
【００４１】
操作部９は、原稿の画像読み取り、複写等の画像記録、ＲＦリーダライタ８による情報の書き込み、送信などの開始を指示するためのスタートキー、複写枚数や送信先番号等を入力するためのテンキー、各種設定を入力するためのカーソルキーやボタンキーなど、報知部１０と連動した各種操作キーを備えている。操作部９と制御部１の一部が、読取動作、記録動作及び書込動作の開始指示を受け付ける開始指示受付手段として機能する。また、操作部９と制御部１の一部が、読取設定を受け付ける読取設定受付手段として機能する。
【００４２】
報知部１０は、各種の報知画面やＭＦＰ１００の動作状態などを文字や図形などで表示するＬＣＤ（Liquid Crystal Display：液晶表示装置）やブザー音を鳴動して報知動作を行うスピーカなどを備えている。なお、ＬＣＤは、タッチパネル式のものであり、操作部９に代えてこのＬＣＤの画面をユーザが指等により触れることにより各種の操作を行うこともできる。
【００４３】
ＲＯＭ１１は、制御部１によりこのＭＦＰ１００の各部の動作が制御されるための各種プログラムを格納している。
【００４４】
ＲＡＭ１２は、ＭＦＰ１００の処理動作に用いる処理設定情報や動作情報等の各種データを読み出し及び書き込み可能な状態で格納している。また、ＲＡＭ１２には、ＲＦリーダライタ８が読み出した情報や、ＲＦリーダライタ８が書き込むべき情報が格納される。ＲＡＭ１２が格納している処理設定情報には、原稿の画像を読み取る際に設定される読取設定を示す読取設定情報が含まれる。この読取設定には、原稿の画像を読み取る際に同時にＲＦリーダライタ８が当該原稿に付設されたＲＦＩＤタグから情報を読み出す同時読出読取設定、原稿の画像を読み取る際に同時にＲＦリーダライタ８が当該原稿にＲＦＩＤタグが付設されているか否かを検出する同時検出読取設定、原稿の画像を読み取る際に同時にＲＦリーダライタ８を動作させない専用読取設定の何れかである。読取設定情報はユーザが操作部９から入力することにより変更可能であり、変更された読取設定情報がＲＡＭ１２に格納されている。なお、図示しないが、クライアントＰＣが接続されたＬＡＮとＭＦＰ１００とが通信可能に接続されている場合、クライアントＰＣから読取設定情報が入力されるものであってもよい。ＲＡＭ１２に格納されている読取設定情報を読み出すことにより、何れの読取設定が設定されているか否かが判断される。ＲＡＭ１２と制御部１の一部が、読取設定を設定する読取設定設定手段として機能する。
【００４５】
モデム１３は、ＩＴＵ−Ｔ（国際電気通信連合電気通信標準化部門）の勧告Ｖ．３４規格又はこれと同様のものに従った送受信データの変調及び復調を行う。ＮＣＵ１４は、電話回線を制御して電話をかけたり切ったりする回線網制御装置であり、ＰＳＴＮ１６に接続されている。
【００４６】
上記のように構成されたＭＦＰ１００において、ＦＢＳとして、原稿の画像を読み取るとき、走査キャリッジ３５が待機位置からプラテンガラス１０１ａに沿って移動し、ＣＣＤラインセンサ３４により原稿の画像を読み取り、原稿の画像を全て読み取った後に、走査キャリッジ３５を待機位置まで戻す。このとき、同時読出読取設定が設定されている場合、走査キャリッジ３５が低速で移動するとともに、ＲＦリーダライタ８により原稿のＲＦＩＤタグの記憶部から情報を読み出す。同時検出読取設定が設定されている場合、走査キャリッジ３５が通常速で移動するとともに、ＲＦリーダライタ８により原稿にＲＦＩＤタグが付設されているか否かを検出する。なお、原稿にＲＦＩＤタグが付設されていることを検出したとき、当該ＲＦＩＤタグの記憶部から情報を読み出す必要がある。そのため、ＲＦＩＤタグを検出した位置まで走査キャリッジ３５を再度移動させ、この位置を走査キャリッジ３５が低速で移動あるいは停止して、ＲＦＩＤリーダライタ８によりＲＦＩＤタグの記憶部から情報を読み出し、その後、走査キャリッジ３５を待機位置まで戻す。専用読取設定が設定されている場合、走査キャリッジ３５が通常速で移動させ、ＲＦリーダライタ８を動作させない。
【００４７】
一方、ＡＤＦ２を用いて原稿の画像を読み取るとき、原稿トレイ２１に載置された原稿を、まずＡＤＦ２の給紙ローラ２４により搬送路２２へと送り込む。搬送路２２へ送り込まれた原稿を、搬送ローラ２５により搬送し、搬送路２２に沿って上方から下方へＵターンするように反転させてプラテンガラス１０１ｂの直上にある読取位置Ｐに至らせる。原稿が読取位置Ｐを通過する際に待機位置に停止するＣＣＤ読取ユニット３により原稿の画像を読み取り、その後、原稿を排紙ローラ２６により排紙トレイ２３へ排出する。このとき、同時読出読取設定が設定されている場合、搬送ローラ２５を低速で回転駆動し、原稿を低速で搬送するとともに、原稿が読取位置Ｐを通過する際にＲＦリーダライタ８により原稿のＲＦＩＤタグの記憶部から情報を読み出す。同時検出読取設定が設定されている場合、搬送ローラ２５を通常速で回転駆動し、原稿を通常速で搬送するとともに、原稿が読取位置Ｐを通過する際にＲＦリーダライタ８により原稿にＲＦＩＤタグが付設されているか否かを検出する。なお、原稿にＲＦＩＤタグが付設されていることを検出したとき、当該ＲＦＩＤタグの記憶部から情報を読み出す必要がある。しかしながら、原稿は排紙トレイ２３に排出されており、自動的にＲＦＩＤタグの記憶部から情報を読み出すことができない。そこで、原稿を原稿トレイ２１に再度載置することを促す旨を報知部１０により報知し、原稿トレイ２１に再載置された原稿をＡＤＦ２により搬送し、読取位置Ｐを低速で通過する原稿のＲＦＩＤタグの記憶部からＲＦリーダライタ８が情報を読み出す。専用読取設定が設定されている場合、搬送ローラ２５を通常速で回転駆動し、原稿を通常速で搬送するとともに、ＲＦリーダライタ８を動作させない。
【００４８】
以下、ＦＢＳとして、プラテンガラス１０１ａに載置された原稿の画像を読み取る場合、ＭＦＰ１００において行われる処理動作について、図３に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００４９】
まず、プラテンガラス１０１ａに原稿が載置され、原稿の読み取り開始指示があったか否かを判断する（Ｓ１）。具体的には、プラテンガラス１０１ａに原稿が載置されたことを前記検知センサが検知し、かつ操作部９のスタートキーが押下された場合等に、原稿読み取り開始指示があったと判断する。ここで、原稿の読み取り開始指示がないと判断した場合（Ｓ１：ＮＯ）、待機状態となる。逆に、原稿の読み取り開始指示があったと判断した場合（Ｓ１：ＹＥＳ）、同時読出読取設定が設定されているか否かを判断する（Ｓ２）。
【００５０】
同時読出読取設定が設定されていると判断した場合（Ｓ２：ＹＥＳ）、記録部７が記録動作中であるか否かを判断する（Ｓ３）。ここで、記録部７が記録動作中であると判断した場合（Ｓ３：ＹＥＳ）、記録部７の記録動作が終了するまで読取動作は待機となる。なお、複数枚の記録用紙に画像を記録するジョブを処理するために記録部７が記録動作を行っていたとき、画像を記録中の記録用紙の記録動作が終了するまで読取動作を待機するものであっても、当該ジョブを全て処理するまで読取動作を待機するものであってもよい。また、記録部７が処理すべきジョブが複数あるとき、処理中のジョブを終了させるまで読取動作を待機するものであっても、処理すべきジョブを全て終了させるまで読取動作を待機するものであってもよい。他方、記録部７が記録動作中でないと判断した場合（Ｓ３：ＮＯ）、走査キャリッジ３５を待機位置から低速で移動させながら、該走査キャリッジ３５に配設されているＣＣＤ読取ユニット３がプラテンガラス１０１ａに載置された原稿の画像に対し読取動作を行うとともに、ＲＦリーダライタ８が読出動作を行う（Ｓ４）。原稿の画像を全て読み取った後、走査ユニット３５を待機位置まで戻し（Ｓ５）、終了する。
【００５１】
一方、同時読出読取設定が設定されていないと判断した場合（Ｓ２：ＮＯ）、同時検出読取設定が設定されているか否かを判断する（Ｓ６）。同時検出読取設定が設定されていると判断した場合（Ｓ６：ＹＥＳ）、走査キャリッジ３５を通常速で移動させながら、該走査キャリッジ３５に配設されているＣＣＤ読取ユニット３がプラテンガラス１０１ａに載置された原稿の画像に対し読取動作を行うとともに、ＲＦリーダライタ８がＲＦＩＤタグの検出動作を行う（Ｓ７）。ＲＦＩＤタグを検出した場合（Ｓ８：ＹＥＳ）、原稿の画像を全て読み取った後、走査ユニット３５をＲＦリーダライタ８がＲＦＩＤタグの検出した位置まで移動させ、ＲＦリーダライタ８が読出動作を行う（Ｓ９）。ＲＦＩＤタグの情報を全て読み出した後、走査ユニット３５を待機位置まで戻す（Ｓ５）。他方、原稿の画像を読み取りが終了し、ＲＦＩＤタグを検出しなかった場合（Ｓ８：ＮＯ）、走査ユニット３５を待機位置まで戻し（Ｓ５）、終了する。
【００５２】
一方、同時検出読取設定が設定されていないと判断した場合（Ｓ６：ＮＯ）、専用読取設定が設定されていると判断されるので、走査キャリッジ３５を通常速で移動させながら、該走査キャリッジ３５に配設されているＣＣＤ読取ユニット３がプラテンガラス１０１ａに載置された原稿の画像に対し読取動作を行う（Ｓ１０）。原稿の画像を全て読み取った後、走査ユニット３５を待機位置まで戻し（Ｓ５）、終了する。
【００５３】
以下、ＡＤＦ２を用いて、原稿トレイ２１に載置された原稿の画像を読み取る場合、ＭＦＰ１００において行われる処理動作について、図４に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００５４】
まず、原稿トレイ２１に原稿が載置され、原稿の読み取り開始指示があったか否かを判断する（Ｓ１１）。具体的には、原稿トレイ２１に原稿が載置されたことを前記検知センサが検知し、かつ操作部９のスタートキーが押下された場合等に、原稿読み取り開始指示があったと判断する。ここで、原稿の読み取り開始指示がないと判断した場合（Ｓ１１：ＮＯ）、待機状態となる。逆に、原稿の読み取り開始指示があったと判断した場合（Ｓ１１：ＹＥＳ）、同時読出読取設定が設定されているか否かを判断する（Ｓ１２）。
【００５５】
同時読出読取設定が設定されていると判断した場合（Ｓ１２：ＹＥＳ）、記録部７が記録動作中であるか否かを判断する（Ｓ１３）。ここで、記録部７が記録動作中であると判断した場合（Ｓ１３：ＹＥＳ）、記録部７の記録動作が終了するまで読取動作は待機となる。他方、記録部７が記録動作中でないと判断した場合（Ｓ１３：ＮＯ）、原稿を低速で搬送させながら、待機位置に位置する走査キャリッジ３５に配設されているＣＣＤ読取ユニット３が読取位置Ｐを通過する原稿の画像に対し読取動作を行うとともに、ＲＦリーダライタ８が読出動作を行う（Ｓ１４）。
【００５６】
一方、同時読出読取設定が設定されていないと判断した場合（Ｓ１２：ＮＯ）、同時検出読取設定が設定されているか否かを判断する（Ｓ１５）。同時検出読取設定が設定されていると判断した場合（Ｓ１５：ＹＥＳ）、原稿を通常速で搬送させながら、待機位置に位置する走査キャリッジ３５に配設されているＣＣＤ読取ユニット３が読取位置Ｐを通過する原稿の画像に対し読取動作を行うとともに、ＲＦリーダライタ８がＲＦＩＤタグの検出動作を行う（Ｓ１６）。ＲＦＩＤタグを検出した場合（Ｓ１７：ＹＥＳ）、読取動作を中止し、読み取って得た画像データを廃棄する（Ｓ１８）。そして、原稿にＲＦＩＤタグが付設されている旨、及び再度原稿を読み取る必要がある旨を報知する（Ｓ１９）。具体的には、報知部１０のＬＣＤに「スキャンした原稿にはＲＦＩＤタグが付いています。再度、原稿トレイにセットして下さい。」など、読み取った原稿にはＲＦＩＤタグが付設されていること、及び原稿の画像を読み取るとともにＲＦＩＤタグから情報を読み出すために、原稿トレイ２１に当該原稿を載置することを促すメッセージを表示する。なお、プラテンガラス１０１ａに当該原稿を載置することを促すメッセージであってもよい。そして、同時検出読取設定を設定し（Ｓ２０）、終了する。その後、ユーザが当該原稿を原稿トレイ２１に載置し、操作部９のスタートボタンを押下することにより、当該原稿の画像が読み取られるとともにＲＦＩＤタグから情報が読み出される（Ｓ１１からＳ１４）。なお、Ｓ２８にて読取動作を中止せずに原稿の画像を全て読み取り、再度原稿トレイ２１に載置された原稿が搬送されるときにはＲＦリーダライタ８が読出動作のみを行うものであってもよい。
【００５７】
一方、同時検出読取設定が設定されていないと判断した場合（Ｓ１５：ＮＯ）、専用読取設定が設定されていると判断されるので、原稿を通常速で搬送させながら、待機位置に位置する走査キャリッジ３５に配設されているＣＣＤ読取ユニット３が読取位置Ｐを通過する原稿の画像に対し読取動作を行う（Ｓ２１）。
【００５８】
以下、ＦＢＳを利用して、プラテンガラス１０１ａに載置された原稿に付設されたＲＦＩＤタグに情報を書き込む場合、ＭＦＰ１００において行われる処理動作について、図５に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００５９】
まず、プラテンガラス１０１ａに原稿が載置され、原稿に付設されたＲＦＩＤタグへの情報の書き込み開始指示があったか否かを判断する（Ｓ３１）。具体的には、プラテンガラス１０１ａに原稿が載置されたことを前記検知センサが検知し、かつ操作部９にて書込設定の入力がなされスタートキーが押下された場合等に、情報の書き込み開始指示があったと判断する。ここで、情報の書き込み開始指示がないと判断した場合（Ｓ３１：ＮＯ）、待機状態となる。逆に、情報の書き込み開始指示があったと判断した場合（Ｓ３１：ＹＥＳ）、記録部７が記録動作中であるか否かを判断する（Ｓ３２）。ここで、記録部７が記録動作中であると判断した場合（Ｓ３２：ＹＥＳ）、記録部７の記録動作が終了するまで書込動作は待機状態となる。
【００６０】
一方、記録部７が記録動作中でないと判断した場合（Ｓ３２：ＮＯ）、走査キャリッジ３５を待機位置から通常速で移動させながら、ＲＦリーダライタ８が検出動作を開始する（Ｓ３３）。ＲＦＩＤタグを検出した場合（Ｓ３４：ＹＥＳ）、走査ユニット３５を停止させ（Ｓ３５）、ＲＦリーダライタ８が情報の書込動作を行う（Ｓ３６）。ＲＦＩＤタグに情報を書き込んだ後、走査ユニット３５を待機位置まで戻し（Ｓ３７）、終了する。他方、ＲＦＩＤタグを検出しなかった場合（Ｓ３４：ＮＯ）、走査キャリッジ３５が原稿端の下方まで移動したか否かを判断する（Ｓ３８）。具体的には、前記検知センサが検知した原稿のサイズと、走査キャリア３５の移動距離とを比較することにより判断する。走査キャリッジ３５が原稿端の下方まで移動していないと判断した場合（Ｓ３８：ＮＯ）、そのまま走査キャリッジ３５を通常速で移動させながら、ＲＦリーダライタ８は検出動作を続ける（Ｓ３４）。走査キャリッジ３５が原稿端の下方まで移動したと判断した場合（Ｓ３８：ＹＥＳ）、原稿にＲＦＩＤタグが付設されていない旨を報知する（Ｓ３９）。具体的には、報知部１０のＬＣＤに「原稿にはＲＦＩＤタグが付いていません。」などのメッセージを表示する。そして、走査ユニット３５を待機位置まで戻し（Ｓ３７）、終了する。
【００６１】
以下、ＡＤＦ２を利用して、原稿トレイ２１に載置された原稿に付設されたＲＦＩＤタグに情報を書き込む場合、ＭＦＰ１００において行われる処理動作について、図６に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００６２】
まず、原稿トレイ２１に原稿が載置され、原稿に付設されたＲＦＩＤタグへの情報の書き込み開始指示があったか否かを判断する（Ｓ４１）。具体的には、原稿トレイ２１に原稿が載置されたことを前記検知センサが検知し、かつ操作部９にて書込設定の入力がなされスタートキーが押下された場合等に、情報の書き込み開始指示があったと判断する。ここで、情報の書き込み開始指示がないと判断した場合（Ｓ４１：ＮＯ）、待機状態となる。逆に、情報の書き込み開始指示があったと判断した場合（Ｓ４１：ＹＥＳ）、記録部７が記録動作中であるか否かを判断する（Ｓ４２）。ここで、記録部７が記録動作中であると判断した場合（Ｓ４２：ＹＥＳ）、記録部７の記録動作が終了するまで書込動作は待機状態となる。
【００６３】
一方、記録部７が記録動作中でないと判断した場合（Ｓ４２：ＮＯ）、搬送ローラ２５により原稿を通常速で搬送させながら、待機位置に位置する走査キャリッジ３５に配設されているＲＦリーダライタ８がＲＦＩＤタグの検出動作を開始する（Ｓ４３）。ＲＦＩＤタグを検出した場合（Ｓ４４：ＹＥＳ）、搬送ローラ２５を直ちに停止させ（Ｓ４５）、ＲＦリーダライタ８が情報の書込動作を行う（Ｓ４６）。ＲＦＩＤタグに情報を書き込んだ後、搬送ローラ２５の駆動を開始し、原稿を通常速で搬送させ、排紙トレイ２３に排紙し（Ｓ４７）、終了する。他方、ＲＦＩＤタグを検出しなかった場合（Ｓ４４：ＮＯ）、原稿が全て読取位置Ｐを通過したか否かを判断する（Ｓ４８）。具体的には、例えば、光源３１が照射した光の反射光がＣＣＤラインセンサ３４に入力されるか否かにより判断する。原稿が全て読取位置Ｐを通過していないと判断した場合（Ｓ４８：ＮＯ）、そのまま原稿を通常速で搬送させながら、ＲＦリーダライタ８が検出動作を続ける（Ｓ４４）。原稿が全て読取位置Ｐを通過したと判断した場合（Ｓ４８：ＹＥＳ）、原稿にＲＦＩＤタグが付設されていない旨を報知する（Ｓ４９）。具体的には、報知部１０のＬＣＤに「原稿にはＲＦＩＤタグが付いていません。」などのメッセージを表示する。そして、原稿を排紙トレイ２３に排紙し（Ｓ４７）、終了する。
【００６４】
以下、記録部７により記録用紙に画像を記録する場合、ＭＦＰ１００において行われる処理動作について、図７に示すフローチャートに基づいて説明する。なお、以下のフローチャートに基づいて説明するＭＦＰ１００の処理動作は、ＲＯＭ１１に格納されているプログラムに基づいて制御部１が発行する命令に従って行われる。
【００６５】
まず、画像記録の開始指示があったか否かを判断する（Ｓ３１）。具体的には、操作部９にて記録設定の入力がなされスタートキーが押下された場合、ファクシミリデータを受信した場合等に、画像記録の開始指示があったと判断する。ここで、画像記録の開始指示がないと判断した場合（Ｓ５１：ＮＯ）、待機状態となる。逆に、画像記録の開始指示があったと判断した場合（Ｓ５１：ＹＥＳ）、ＲＦリーダライタ８が読出動作中又は書込動作中であるか否かを判断する（Ｓ５２）。ここで、ＲＦリーダライタ８が読出動作中又は書込動作中と判断した場合（Ｓ５２：ＹＥＳ）、ＲＦリーダライタ８が読出動作中又は書込動作中が終了するまで記録動作は待機状態となる。一方、ＲＦリーダライタ８が読出動作中又は書込動作中でないと判断した場合（Ｓ５２：ＮＯ）、記録部７は記録用紙に画像の記録を開始する（Ｓ５３）。
【００６６】
以上説明したように、このＭＦＰ１００によれば、記録部７の記録動作とＲＦリーダライタ８の読出動作又は書込動作とが同時に行われない。そのため、記録部７の記録動作に伴う電磁波の影響によるノイズを受けることなくＲＦリーダライタ８が情報を読み出し、書き込むことができ、情報の読出精度や書込精度が低下するおそれがない。
【００６７】
また、同時読出読取設定が設定されている場合、原稿の読み取り開始指示を受け付けた際に、記録部７が記録動作しているとき、記録部７が記録動作を終了した後に原稿の読取動作を開始するため、記録部７の記録動作とＲＦリーダライタ８の読出動作とが同時に行われないので、情報の読出精度が低下するおそれがない。
【００６８】
また、同時検出読取設定が設定されている場合、原稿の読み取り開始指示を受け付けた際に、記録部７が記録動作しているか否かに関わらず、原稿の読取動作を開始するため、記録部７の記録動作とＲＦリーダライタ８の検出動作とを同時に行うことが可能となり、動作に必要な時間を短縮することができる。
【００６９】
また、ＦＢＳを用いた原稿の画像読み取りにおいて、同時検出読取設定が設定されている場合、ＲＦリーダライタ８がＲＦＩＤタグを検出したとき、原稿の画像の読み取った後に、ＲＦリーダライタ８がＲＦＩＤタグの検出した位置まで走査ユニット３５を移動させ、ＲＦリーダライタ８が情報を読み出す。そのため、同時検出読取設定が設定されている場合であっても、ＲＦＩＤタグから自動的に情報を読み出すことができる。
【００７０】
また、ＡＤＦ２を用いた原稿の画像読み取りにおいて、同時検出読取設定が設定されている場合、ＲＦリーダライタ８がＲＦＩＤタグを検出したとき、画像の読み取りを中止し、再度原稿の画像を読み取る旨を報知部１０に報知し、同時読出読取設定を設定する。そのため、ユーザに原稿にＲＦＩＤタグが付設していることを認識させることが可能となる。また、自動的に同時読出読取設定を設定することにより、次に読み取るであろう当該原稿のＲＦＩＤタグから確実に情報を読み出すことが可能となるとともに、ユーザ等が同時読出読取設定を設定する手間を省くことができる。
【００７１】
また、走査キャリッジ３５にＣＣＤ読取ユニット３の一部とＲＦリーダライタ８が配設されているため、同時読出読取設定や同時検出読取設定が設定されている場合、ＦＢＳを用いるときには、走査キャリッジ３５を原稿載置板１０１ａに沿って移動させることにより、原稿載置板１０１ａに載置された原稿に対してＣＣＤ読取ユニット３の読取動作とＲＦリーダライタ８の読出動作又は検出動作を同時に行うことができる。また、ＡＤＦ２を用いるときには、待機位置に停止する走査キャリッジ３５にて、ＣＣＤ読取ユニット３の読取動作とＲＦリーダライタ８の読出動作又は検出動作とを同時に行うことができる。よって、ＭＦＰ１００の構造を簡略化できる等により、装置コストや装置容積等を抑えることが可能となる。
【００７２】
また、原稿の画像を読み取った後、あるいはＲＦリーダライタ８が情報を書き込んだ後、走査キャリッジ３５を移動させて待機位置に戻す。そのため、次の開始指示があったとき、走査キャリッジ３５を待機位置に戻す必要がないので、直ぐに動作を開始することができる。
【００７３】
また、情報の書き込み開始指示を受け付けた際に、記録部７が記録動作している場合、記録部７が記録動作を終了した後にＲＦリーダライタ８が情報を書き込むため、情報の書込精度が低下するおそれがない。また、画像記録の開始指示を受け付けた際に、ＲＦリーダライタ８が読出動作又は書込動作をしている場合、ＲＦリーダライタ８がこれらの動作を終了した後に記録部７が記録動作を開始するため、情報の読出精度や書込精度が低下するおそれがない。
【００７４】
なお、本実施の形態で示したＭＦＰ１００の構成は、本発明に係る画像記録装置の一態様にすぎず、本発明の要旨を逸脱しない範囲内で種々の変形実施が可能である。例えば、ＦＢＳ及びＡＤＦ２の何れにても原稿の画像を読み取ることができる場合の例を示したが、ＦＢＳのみ、又はＡＤＦのみにて原稿の画像を読み取るものであってもよい。
【００７５】
また、同時読出読取設定、同時検出読取設定、及び専用読取設定の３つの読取設定の何れかが設定される場合の例を示したが、これに限定されるものではない。例えば、同時読出読取設定が設定されない場合には、画像読み取りと同時に必ずＲＦリーダライタ８が検出動作を行うものであってもよい。これにより、原稿に付設されたＲＦＩＤタグを確実に検出することができる。また、原稿の画像を読み取る前にＲＦリーダライタ８が当該原稿に付設されたＲＦＩＤタグから情報を読み出す事前読出読取設定を設定可能なものであってもよい。これにより、事前に読み出した情報に基づいて原稿の画像を読み取ることが可能となる。
【００７６】
さらに、本実施の形態では、画像記録装置をＭＦＰ１００として実施した態様を説明したが、画像記録装置はＭＦＰ１００に限定されず、複写機、ファクシミリ機、スキャナ、及びこれらの複合機に適用可能である。
【図面の簡単な説明】
【００７７】
【図１】本発明の実施の形態に係るＭＦＰ１００の構成例を示したブロック図である。
【図２】ＭＦＰ１００の上部について説明するための概略断面図である。
【図３】ＦＢＳとして、プラテンガラス１０１ａに載置された原稿の画像を読み取る場合に、ＭＦＰ１００において行われる処理動作を示すフローチャートである。
【図４】ＡＤＦ２を用いて、原稿トレイ２１に載置された原稿の画像を読み取る場合に、ＭＦＰ１００において行われる処理動作を示すフローチャートである。
【図５】ＦＢＳを用いて、プラテンガラス１０１ａに載置された原稿のＲＦＩＤタグに情報を書き込む場合に、ＭＦＰ１００において行われる処理動作を示すフローチャートである。
【図６】ＡＤＦ２を用いて、原稿トレイ２１に載置された原稿のＲＦＩＤタグに情報を書き込む場合に、ＭＦＰ１００において行われる処理動作を示すフローチャートである。
【図７】記録部７が画像を記録する場合に、ＭＦＰ１００において行われる処理動作を示すフローチャートである。
【符号の説明】
【００７８】
１  制御部（開始指示受付手段）
２  ＡＤＦ（自動原稿搬送手段）
３  ＣＣＤ読取ユニット（読取手段）
７  記録部（記録手段）
８  ＲＦリーダライタ（読出手段、書込手段）
９  操作部（開始指示受付手段）
１０  報知部
１１  ＲＯＭ
１２  ＲＡＭ
２１  原稿トレイ
２２  搬送路
３５  走査キャリッジ
１００  ＭＦＰ（画像記録装置）
１０１ａ  プラテンガラス（原稿載置板）
１０１ｂ  プラテンガラス
【図１】
2007295211.tif 000003
【図２】
2007295211.tif 000004
【図３】
2007295211.tif 000005
【図４】
2007295211.tif 000006
【図５】
2007295211.tif 000007
【図６】
2007295211.tif 000008
【図７】
2007295211.tif 000009